(57)【要約】【課題】本発明は、本体部前面側に賞品扉を設け、内部に設けた空間収納部に、店側が日々異なる賞品を入れておき、ある決められた条件が満たされる事により、遊技客が賞品扉を開いて様々な賞品を受け取る事が出来るようにした遊技媒体貸出機を提供することを目的とする。【解決手段】遊技島の遊技台に隣接して配設され、投入された貨幣類に応じた遊技媒体を貸し出す遊技媒体貸出機において、上記遊技媒体貸出機は、貸出機本体部に賞品扉を設けた空間収納部を備え、該空間収納部に出し入れ自在の賞品収納箱を備え、上記賞品扉は、投入された貨幣類、若しくは遊技店側の設定条件を満たしたとき、開放し遊技客に賞品収納箱内の賞品を提供するように構成する。【選択図】      図４
2005095365.tif 000002
【特許請求の範囲】
【請求項１】
遊技島の遊技台に隣接して配設され、投入された貨幣類に応じた遊技媒体を貸し出すと共に、遊技客に対し、ある設定条件を満たした際、サービスを提供するサービス付与機能を備えた遊技媒体貸出機において、上記遊技媒体貸出機は、貸出機本体部に賞品扉を設けた空間収納部を備え、該空間収納部に出し入れ自在の、少なくとも１つ以上の賞品収納箱を備え、上記賞品扉は、投入された貨幣類、若しくは遊技店側の設定条件を満たしたとき、開放し遊技客に賞品収納箱内の賞品を提供する構成としたことを特徴とする遊技媒体貸出機。
【発明の詳細な説明】
【技術分野】
【０００１】
本発明は、遊技店側が、来店する遊技客に対し、ある設定した条件に達したとき、賞品等をサービスとして提供する事が出来る遊技媒体貸出機に関する。
【背景技術】
【０００２】
パチンコ遊技店における、従来の遊技媒体貸出機は、貨幣類が投入口に投入されると、これに対応した数の遊技媒体が貸し出される。この遊技媒体貸出機に様々な機能を設け、遊技客の興趣心を高めようとしたものが多数開示されている。
【特許文献１】特開平６−３４３７５３
【０００３】
特許文献１においては、乱数発生手段と、乱数が表示される表示手段と、発生した数字と、設定手段で予め設定された数字とを比較する比較手段を備えた玉貸機で、それらの数字が一致した場合、一定数の玉を所定数の貸球にプラスして排出するようなサービス付与機能を備えた構成になっていた。
【特許文献２】特開平９−１２２３４７
【０００４】
特許文献２においては、金銭投入部と、会員カードリーダーと、抽選機能を備えた台間玉貸機において、会員カードが挿入された場合等に抽選を開始するように構成され、抽選に当った場合、無制限交換を行ったり、コーヒー、軽食、景品等を提供したりするサービス付与機能を備えた構成になっていた。
【発明の開示】
【発明が解決しようとする課題】
【０００５】
しかし、上記した文献では、抽選等に当った場合、もらえる景品等が予め決められているか、もしくは景品が幾つかある中から選ぶ方式にしなくてはならないため、「何が出てくるのか」といった好奇心を煽る物ではなく、遊技客が興趣心を高めるためには、物足りないサービスの内容であったため、上述したサービスの内容では不満となっていた。このため、遊技客は再びその遊技店に出向くといった意欲が損なわれ、遊技店においては集客や、売上増を計ることが出来なかった。
【０００６】
本発明は、本体部前面側に賞品扉を設け、内部に設けた空間収納部に、店側が日々異なる賞品を入れておき、ある決められた条件が満たされる事により、遊技客が賞品扉を開いて様々な賞品を受け取る事ができるようにした遊技媒体貸出機を提供することを目的とする。
【課題を解決するための手段】
【０００７】
上記した目的は、本発明の請求項１によれば、遊技島の遊技台に隣接して配設され、投入された貨幣類に応じた遊技媒体を貸し出すと共に、遊技客に対し、ある設定条件を満たした際、サービスを提供するサービス付与機能を備えた遊技媒体貸出機において、上記遊技媒体貸出機は、貸出機本体部に賞品扉を設けた空間収納部を備え、該空間収納部に出し入れ自在の、少なくとも１つ以上の賞品収納箱を備え、上記賞品扉は、投入された貨幣類、若しくは遊技店側の設定条件を満たしたとき、開放し遊技客に賞品収納箱内の賞品を提供する構成とすることによって達成される。
【発明の効果】
【０００８】
以上のように本発明の構成によれば、遊技島の遊技台に隣接して配設され、投入された貨幣類に応じた遊技媒体を貸し出すと共に、遊技客に対し、ある設定条件を満たした際、サービスを提供するサービス付与機能を備えた遊技媒体貸出機において、
上記遊技媒体貸出機は、貸出機本体部に賞品扉を設けた空間収納部を備え、該空間収納部に出し入れ自在の、少なくとも１つ以上の賞品収納箱を備え、上記賞品扉は、投入された貨幣類、若しくは遊技店側の設定条件を満たしたとき、開放し遊技客に賞品収納箱内の賞品を提供する構成を備えたことにより、遊技客が前記遊技媒体貸出機内部の空間収納部に入れられた賞品収納箱から賞品を受け取ることができるので、遊技客に対してサービスを行う事が出来る。また、日々（イベント毎）及び台（遊技台毎、島毎）によって異なる賞品が入った賞品収納箱を取り出して中を見るまで、何が入っているかわからないので、遊技客の好奇心を煽り、興趣をより高めることができる。さらに、店側にとっても、遊技客が興趣を高める事ができ、サービス向上となり、再び遊技店に足を運びやすくなるので、集客が計れ、売上増に繋がる。
【実施例１】
【０００９】
以下、本発明の実施例を、図面に従って説明する。図１は、本発明にかかる遊技媒体貸出機が適用される遊技島１０の概略構成を示す図である。遊技島１０は、複数の遊技台２０を横方向に配列して構成される。図示する遊技台２０はパチンコ台として示されているが、他の種類、例えばスロットマシンであってもよい。また、店内のレイアウトにより遊技台２０を図の背面側に、図示する遊技台２０と背中合わせとなるように配列することも可能である。各遊技台２０の間には、遊技媒体貸出機３０が配置される。遊技媒体貸出機３０に備えられた貨幣類（ここでは紙幣投入口）投入部３１から投入された紙幣は遊技島１０の内部に設けられた紙幣搬送装置（不図示）によって、遊技島１０の端に設けられた島管理装置５０に送られ、ここに揃えて収納される。
【００１０】
次に遊技媒体貸出機３０の構成について説明する。図２は本発明にかかる遊技媒体貸出機３０ａを示す図である。図３は本発明にかかる遊技媒体貸出機３０ｂを示す図である。先ず、図２に示す遊技媒体貸出機３０ａの構成について説明する。ここでの遊技媒体貸出機は、貨幣類投入部３１に貨幣３２（紙幣または硬貨）を投入して、遊技媒体を貸出す構成としたものである。遊技媒体貸出機３０は、長方形からなる貸出機本体部が設けられ、貸出機本体部の上方寄りに、縦型の貨幣類投入部３１（紙幣投入口及び硬貨投入口）が設けられ、中央付近にパチンコ玉を払出す供給樋付の玉取出し装置３７が設けられ、この供給樋付の玉取出し装置３７から隣接するパチンコ台の上皿内に供給される。その下に返却した硬貨を排出する硬貨返却口３８が設けられている。本発明においては、上記構成に加えて後述する最下方部に空間収納部３５内に出入自在の賞品収納箱３６が備えられている点が特徴である。
【００１１】
次に、図３に示す遊技媒体貸出機３０ｂの構成について説明する。ここでの遊技媒体貸出機３０は、上述した図２の遊技媒体貸出機３０ａの構成に加え、会員貯玉カード３３で貯玉した遊技媒体を払出せる点であり、上述した図２と異なる構成のみ説明する。下方寄りの位置に、会員貯玉カード３３を投入できる貨幣類投入部３１（会員カード投入口）を設け、供給樋付の玉取出し装置３７の操作部３９（暗証キー等）を操作すると、内部の玉計数装置（一発切り計数）によって計数された貯玉が排出される。会員貯玉カードとは、獲得した玉、計数時の端玉を貯玉データとして貯蓄しておき、再び利用できるカードのことを言う。
【００１２】
次に遊技媒体貸出機３０ａの作用について説明する。貨幣類投入部３１に貨幣３２が投入されると、これに対応した数の遊技媒体が供給樋付玉取り出し装置３７から払出される。遊技媒体は、遊技台２０の種類によって異なり、パチンコ台であればパチンコ玉であり、スロットマシンであればメダルである。また、遊技媒体貸出機３０ｂの場合は、貨幣類投入部３１（会員カード投入口）に、会員貯玉カード３３を挿入し、操作部３９で暗証番号を入力する事によって、貯玉を払出す事が出来る。なお、上記における遊技媒体貸出機の構成は、パチンコ玉を貸出す構成としたが、メダルを払出すメダル貸出機としてもよい。
【００１３】
次に、上述した構成の遊技媒体貸出機３０の本発明の要旨を備えた点について説明する。遊技媒体貸出機３０の貸出機本体部の最下方部には、賞品扉３４を設けた空間収納部３５が設けられ、該空間収納部３５内に出入自在の一つの賞品収納箱３６が備えられている。なお、賞品扉３４には、制御部（不図示）からの指令に基づいて開閉する施錠機構（不図示）が設けられている。また、図５、図６のように賞品扉３４、空間収納部３５、賞品収納箱３６をそれぞれ２つずつ設けてもよい。賞品収納箱３６内には、店側が日々（イベント毎）及び台（遊技台毎、島毎）によって異なる賞品を入れて、来店する遊技客にサービスを提供できるようにしている。賞品としては、ドリンク券、キャラクターグッズ、無制限交換券、高設定券などでもよい。また、賞品ではなくて、ウェットティッシュなどを入れておき、自由に使うことが出来るようにしてもよい。また、ここでは、空間収納部に賞品収納箱を設け、その中に商品を入れた構成について説明したが、賞品収納箱を使用せずに、空間収納部に直接賞品を入れておいてもよい。このように、賞品収納箱３６には店側が日々（イベント毎）及び台（遊技台毎、島毎）によって異なる豪華賞品等をイベント等に応じて選出し、サービスとして提供する事によって、来店する遊技客は、より一層楽しみが増える。よって、遊技客に貨幣の投入を促進させ、店側も売り上げ増につながる。
【００１４】
次に、賞品を提供する方法について説明する。ある決められた条件が達成されたとき、制御部が施錠機構に解錠する指令を出し、施錠機構が解錠され、賞品扉３４を開いて賞品収納箱３６を取り出す事ができ、遊技客は豪華賞品を受け取る事が出来るように構成されている。施錠機構が解錠される条件としては、ある決められた額の貨幣（例えば千円）が貨幣類投入部３１から投入されたときでもよい。また、図５のように賞品扉３４、空間収納部３５、賞品収納箱３６をそれぞれ２つずつ備え、一方には高価な賞品を入れておき、もう一方には安価な賞品を入れておき、投入された金額によって開く扉を変え、低額（例えば千円）のときは安価な賞品が入っている側の賞品扉３４の施錠機構を、高額（例えば五千円）のときは高価な賞品が入っている側の賞品扉３４の施錠機構を解錠するようにしてもよい。そうすることによって、遊技客に貨幣の投入を促進させ、遊技店の売上増につながる。
【００１５】
さらに、前記施錠機構が解錠される他の条件として、前記制御部に抽選機能（不図示）を設け、ある決められた額の貨幣（例えば千円）が貨幣類投入部３１から投入されると、抽選機能が働き、抽選に当ると、前記施錠機構が解錠されるようにしてもよい。
【００１６】
さらに、前記制御部と遊技島１０の端に設置される島管理装置５０とを接続し、遊技島１０全体の、遊技されている遊技台２０に対応した遊技媒体貸出機３０を、一斉に抽選する機能を、前記島管理装置５０に備え、ある決められた時間になると、抽選を行い、抽選に当ると、前記施錠機構が解錠されるようにしてもよい。  
【００１７】
さらに、サービスタイム等を設け、ある決められた時間になると、遊技が行われている遊技台に対応した遊技媒体貸出機３０の、前記施錠機構が解錠されるようにしてもよい。さらに、サービスタイムを、来客数の少ない時間帯等（例えば平日の午前等）に設けることにより、その時間帯の来客数の増加を図る事も出来る。  
【００１８】
さらに、前記制御部を遊技台２０と接続し、遊技台２０が入賞すると、前記施錠機構が解錠されるようにしてもよい。  
【００１９】
また、上述した各々の条件が、貨幣類投入部（会員カード投入口）３１に会員貯玉カード３３を挿入した状態において満たされた場合に、前記施錠機構が解錠されるようにしてもよい。そうすることによって、会員と非会員の差別化ができ、会員誘致の効果が得られ、固定客の確保が出来る。  
【００２０】
さらに、前記貨幣類投入部３１（会員カード投入口）に会員貯玉カード３３を挿入して、ある決められた数の貯球または貯メダル（例えば２００発）を払い出した場合に、前記施錠機構が解錠されるようにしてもよい。また、図６のように賞品扉３４、空間収納部３５、賞品収納箱３６をそれぞれ２つずつ備え、一方には高価な賞品を入れておき、もう一方には安価な賞品を入れておき、払出された貯玉（貯メダル）の数によって開く扉を変え、払出す数が少ないとき（例えば２００発）は安価な賞品が入っている側の賞品扉３４の施錠機構を、払出す数が多いときは（例えば１０００発）のときは高価な賞品が入っている側の賞品扉３４の施錠機構を解錠するようにしてもよい。
【００２１】
次に、遊技客に賞品を提供した後、なくなった賞品を補充する方法について説明する。店員が、カウンター等予め用意してある新たな賞品を入れた賞品収納箱を、遊技客が遊技を終わった後等に、遊技客が賞品を受け取って空になった賞品収納箱と交換する。賞品収納箱ごと交換する事により、交換の際に、賞品は何が入れられるかを他の遊技客に見られる事がない。
【図面の簡単な説明】
【００２２】
【図１】本発明の第１実施例である、遊技媒体貸出機を設置した、遊技島の概略構成を示す図である。
【図２】本発明の遊技媒体貸出機の外観図（斜視図）である。
【図３】本発明の遊技媒体貸出機（会員カードユニット）の外観図（斜視図）である。
【図４】遊技媒体貸出機の賞品扉を開いて、賞品収納箱を取り出した状態を示す図である。
【図５】賞品収納箱を２つ設けた遊技媒体貸出機の賞品扉を開いて、賞品収納箱を取り出した状態を示した図である。
【図６】賞品収納箱を２つ設けた遊技媒体貸出機（会員カードユニット）の賞品扉を開いて、賞品収納箱を取り出した状態を示した図である。
【符号の説明】
【００２３】
１０    遊技島  ２０    遊技台  ３０    遊技媒体貸出機  ３１    貨幣類投入部  ３４    賞品扉  ３５    空間収納部  ３６    賞品収納箱
【図１】
2005095365.tif 000003
【図２】
2005095365.tif 000004
【図３】
2005095365.tif 000005
【図４】
2005095365.tif 000006
【図５】
2005095365.tif 000007
【図６】
2005095365.tif 000008